(57)【特許請求の範囲】
【請求項１】
底壁及び該底壁の周囲から上方に延びる側壁を有し、開口頂部で終端する有底円筒状の内側シェルと、前記底壁及び側壁に対して離間した関係にあって前記内側シェルとの共通の開口頂部で終端する有底円筒状の外側シェルとにより断熱空間を画成し、該断熱空間を真空にした外側容器を有する断熱飲料容器において、
前記開口頂部にて画成された、実質的に前記内側シェルの軸線を中心にするアクセス開口と、
該アクセス開口の周囲で前記外側容器に取り付けられ、前記外側シェルの外面上部を包囲するスリーブ部と前記頂部を覆う掛部とを一体化したリング体と、
前記アクセス開口から円筒形又は逆円錐台状の有底円筒形の下寄り部分が前記外側容器内に入れ子的に収容されることにより、前記リング体と接触する外面を有するとともに、前記アクセス開口から外方に延びる上寄り部分を有するガラス、プラスチック及びセラミックスからなる群より選択される材料で形成された内側容器とを含み、
前記リング体は、前記内側容器の下寄り部分の周壁と係合する半径方向内側に延びる周方向リブを前記アクセス開口の近くに有するとともに、
前記内側容器は、前記下寄り部分の外径が前記内側シェルの内径よりも小さく、前記上寄り部分の直径が前記下寄り部分の外径よりも大きく、前記下寄り部分と前記上寄り部分との接続部分にはリング体の前記掛部に載る半径方向の肩部を有していることを特徴とする断熱飲料容器。
【請求項２】
前記周方向リブは、弾性体である請求項１記載の断熱飲料容器。
【請求項３】
底壁及び該底壁の周囲から上方に延びる側壁を有し、開口頂部で終端する有底円筒状の内側シェルと、前記底壁及び側壁に対して離間した関係にあって前記内側シェルとの共通の開口頂部で終端する有底円筒状の外側シェルとにより断熱空間を画成し、該断熱空間を真空にした外側容器を有する断熱飲料容器において、
前記開口頂部にて画成された、実質的に前記内側シェルの軸線を中心にするアクセス開口と、
該アクセス開口の周囲で前記外側容器に取り付けられ、前記外側シェルの外面上部を包囲するスリーブ部と前記頂部を覆う掛部とを一体化したリング体と、
前記アクセス開口から円筒形又は逆円錐台状の有底円筒形の下寄り部分が前記外側容器内に入れ子的に収容されることにより、前記リング体と接触する外面を有するとともに、前記アクセス開口から外方に延びる上寄り部分を有するガラス、プラスチック及びセラミックスからなる群より選択される材料で形成された内側容器とを含み、
前記リング体は、前記内側シェルの上部内面を包囲する下方に延長した挿入片を前記アクセス開口の近くに有するとともに、
前記内側容器は、前記下寄り部分の外径が前記内側シェルの内径よりも小さく、前記上寄り部分の直径が前記下寄り部分の外径よりも大きく、前記下寄り部分と前記上寄り部分との接続部分にはリング体の前記掛部に載る半径方向の肩部を有していることを特徴とする断熱飲料容器。
【請求項４】
底壁及び該底壁の周囲から上方に延びる側壁を有し、開口頂部で終端する有底円筒状の内側シェルと、前記底壁及び側壁に対して離間した関係にあって前記内側シェルとの共通の開口頂部で終端する有底円筒状の外側シェルとにより断熱空間を画成し、該断熱空間を真空にした外側容器を有する断熱飲料容器において、
前記開口頂部にて画成された、実質的に前記内側シェルの軸線を中心にするアクセス開口と、
該アクセス開口の周囲で前記外側容器に取り付けられ、前記外側シェルの外面上部を包囲するスリーブ部と前記頂部を覆う掛部とを一体化したリング体と、
前記アクセス開口から円筒形又は逆円錐台状の有底円筒形の下寄り部分が前記外側容器内に入れ子的に収容されることにより、前記リング体と接触する外面を有するとともに、前記アクセス開口から外方に延びる上寄り部分を有するガラス、プラスチック及びセラミックスからなる群より選択される材料で形成された内側容器とを含み、
前記リング体は、前記内側容器が前記外側容器内に挿入された際に、両容器間に挟時される、下方に延長した挿入片を有しているとともに、
前記内側容器は、前記下寄り部分の外径が前記内側シェルの内径よりも小さく、前記上寄り部分の直径が前記下寄り部分の外径よりも大きことを特徴とする断熱飲料容器。
【請求項５】
前記挿入片は、弾性体である請求項３又は４記載の断熱飲料容器。
【請求項６】
前記リング体は、前記外側容器から取り外すことができるよう弾性体で造られている請求項１〜５のいずれか１項記載の断熱飲料容器。
【請求項７】
前記掛部は、前記内側容器の底壁が前記内側シェルの底壁との間にギャップを存して、内側容器を支持する請求項１〜６のいずれか１項記載の断熱飲料容器。
【発明の詳細な説明】
【０００１】
【発明の属する技術分野】
本発明は、飲料容器に関し、より具体的には、断熱飲料容器に関する。
【０００２】
【従来の技術】
近年、いわゆる「トラベルマグ」の如き断熱飲料容器が爆発的に使用されている。これらの容器の多く、特に高級バージョンは、外容器と、該外容器に対して離間した関係で接続された内容器とを含み、両容器間に断熱空間を画成している。この断熱空間を真空にすることにより良好な断熱特性が発揮される。往々にして、これらの容器の内側及び外側シェルは、ブラシ（鏡面）仕上げのステンレス鋼の如き装飾材料でできている。両シェルは、その頂部で、容器の内容物へのアクセス開口縁を画定するためのポリマー材のリング体が装着されている。
【０００３】
多くの場合、このポリマー材のリング体は、プラスチック、ガラス又はセラミック製の飲料容器から感じる味感や口当たりと同じ感じを使用者に与えない。さらに、ガラス容器等の別の容器に注ぎ入れられている飲料を、トラベルマグによって飲む場合は、ガラス容器等の別の容器からトラベルマグへ移し替えなければならない。ところが、この場合は、トラベルマグと、ガラス、プラスチック又はセラミック製の別容器とを、個々に洗浄しなければならないことになる。
【０００４】
【発明が解決しようとする課題】
上述の課題を回避するために、例えば二重壁のプラスチックガラスの二重壁断熱容器を使用する試みがなされてきたが、このような材料は、飲料容器の内側シェルと外側シェルとの間を真空にすることができない。その結果、断熱空間に空気及び／又は発泡材の如き断熱材を充填する。これらの材料は、真空断熱にくらべて良好な断熱性能を発揮することがなく、したがって、飲料を暖かい状態や冷たい状態を維持して保温することに関しては、そのような飲料容器の性能が、典型的なトラベルマグで見られる性能に及ばない。
【０００５】
残念ながら、二壁間を真空にできるほどの強度を有するガラス又はセラミックの二重壁飲料容器を製造することは、そのような材料が、上記理由のため、断熱性能が劣る断熱体であるプラスチック二重壁容器よりも亀裂や破損をはるかに起こし易いという点で特に実用的ではない。
【０００６】
本発明の目的は、上記課題を解決するためのもので、断熱性能に優れ、かつ、飲み心地の良い、新規で改良された断熱飲料容器を提供することにある。
【０００７】
【課題を解決するための手段】
本発明は、底壁及び該底壁の周囲から上方に延びる側壁を有し、開口頂部で終端する有底円筒状の内側シェルと、前記底壁及び側壁に対して離間した関係にあって前記内側シェルとの共通の開口頂部で終端する有底円筒状の外側シェルとにより断熱空間を画成し、該断熱空間を真空にした外側容器を有する断熱飲料容器において、前記開口頂部にて画成された、実質的に前記内側シェルの軸線を中心にするアクセス開口と、該アクセス開口の周囲で前記外側容器に取り付けられ、前記外側シェルの外面上部を包囲するスリーブ部と前記頂部を覆う掛部とを一体化したリング体と、前記アクセス開口から円筒形又は逆円錐台状の有底円筒形の下寄り部分が前記外側容器内に入れ子的に収容されることにより、前記リング体と接触する外面を有するとともに前記アクセス開口から外方に延びる上寄り部分を有するガラス、プラスチック及びセラミックスからなる群より選択される材料で形成された内側容器とを含み、前記リング体は、前記内側容器の下寄り部分の周壁と係合する半径方向内側に延びる周方向リブを前記アクセス開口の近くに有するとともに、前記内側容器は、前記下寄り部分の外径が前記内側シェルの内径よりも小さく、前記上寄り部分の直径が前記下寄り部分の外径よりも大きく、前記下寄り部分と前記上寄り部分との接続部分にはリング体の前記掛部に載る半径方向の肩部を有していることを特徴としている。また、前記周方向リブは弾性体であることが好ましい。
【０００８】
この構造の結果として、外側容器は、真空断熱空間を提供するその能力のおかげで優れた断熱性能を提供し、内側容器は、外側容器の外に延び、それによって使用者の唇と接触する。内側容器の材料はプラスチック、ガラス又はセラミックスからなる群より選択されるため、内側容器は、従来の飲料グラスなどの味感及び／又は口当たりを提供する。
【０００９】
また、本発明は、底壁及び該底壁の周囲から上方に延びる側壁を有し、開口頂部で終端する有底円筒状の内側シェルと、前記底壁及び側壁に対して離間した関係にあって前記内側シェルとの共通の開口頂部で終端する有底円筒状の外側シェルとにより断熱空間を画成し、該断熱空間を真空にした外側容器を有する断熱飲料容器において、前記開口頂部にて画成された、実質的に前記内側シェルの軸線を中心にするアクセス開口と、該アクセス開口の周囲で前記外側容器に取り付けられ、前記外側シェルの外面上部を包囲するスリーブ部と前記頂部を覆う掛部とを一体化したリング体と、前記アクセス開口から円筒形又は逆円錐台状の有底円筒形の下寄り部分が前記外側容器内に入れ子的に収容されることにより、前記リング体と接触する外面を有するとともに、前記アクセス開口から外方に延びる上寄り部分を有するガラス、プラスチック及びセラミックスからなる群より選択される材料で形成された内側容器とを含み、前記リング体は、前記内側シェルの上部内面を包囲する下方に延長した挿入片を前記アクセス開口の近くに有するとともに、前記内側容器は、前記下寄り部分の外径が前記内側シェルの内径よりも小さく、前記上寄り部分の直径が前記下寄り部分の外径よりも大きく、前記下寄り部分と前記上寄り部分との接続部分にはリング体の前記掛部に載る半径方向の肩部を有していることを特徴とするか、または、前記リング体は、前記内側容器が前記外側容器内に挿入された際に、両容器間に挟時される、下方に延長した挿入片を有しているとともに、前記内側容器は、前記下寄り部分の外径が前記内側シェルの内径よりも小さく、前記上寄り部分の直径が前記下寄り部分の外径よりも大きことを特徴としている。また、前記挿入片は、弾性体であることが好ましい。
【００１０】
さらに、前記リング体は、前記外側容器から取り外すことができるよう弾性体で造られている。前記掛部は、前記内側容器の底壁が前記内側シェルの底壁との間にギャップを存して、内側容器を支持する。
【００１１】
【発明の実施の形態】
以下、本発明を添付図面に関連させて詳細に説明することにより理解を深めるとともに、他の目的及び利点を明らかにする。
【００１２】
図１は、本発明にしたがって製造された断熱飲料容器の好ましい実施態様が例示されている。この容器は、二重壁の外側容器１１と、該容器１１内に挿入された飲料容器又はグラス製等の内側容器１２とで構成されている。図１から見てとれるように、内側容器１２は、例示する実施態様では軸線１０を中心とする円筒形の下寄り部分１４を有している。この内側容器１２は、底部にむけて漸次先細りなるように、換言するならば、わずかに逆円錐台形であってもよい。所望ならば、内側容器は、他の回転面で形成することもできる。
【００１３】
内側容器１２は、下寄り部分１４よりも大径の上寄り部分１６を有し、この上寄り部分１６は、外側容器１１の外方へ延びて、使用者が内側容器１２から飲料を飲むために唇を当てることができるリップ（口縁）１７を形成している。所望の及び／又は通例の味感及び／又は口当たりを保証するため、内側容器１２は、プラスチック、ガラス及びセラミックスからなる群より選択される材料で形成されている。リップ１７は、軸線１０を中心にして容器内の飲料にアクセスできる飲み口を形成している。
【００１４】
上寄り部分１６は、ほぼ水平方向の着座面１８を有する半径方向内側に延びる肩部１９によって下寄り部分１４に接続している。外側容器１１は、外側シェル２２と、外側シェル２２内に入れ子的に収容された内側シェル２４とを含み、両シェル２２，２４とは空間２６を存して離間している。両シェル２２，２４は、通常金属製であり、軸線１０を中心とする回転面を有し、それぞれの上縁２７，２８で接合されてシールされている。これらの上縁は、軸線１０を中心としたアクセス開口を画成している。
【００１５】
リング体３０は、外側シェル２２の外面上部を包囲する下方に延びるスリーブ部３２を有し、該スリーブ部３２の頂部に一体的に設けた掛部３４をもって終端としている。掛部３４は、内側容器１２に向かって半径方向内側に延びて、外側シェル２２及び内側シェル２４のそれぞれの上縁２７、２８の接合部を覆っている。すなわち、掛部３４は、半径方向内側に延び、両シェル２２，２４の接合にによって形成されている開口頂部、すなわちアクセス開口に掛かっている。
【００１６】
加えて、掛部３４は、肩部１９のすぐ下の位置で内側容器１２の下寄り部分１４に係合する半径方向内向きのリップ状の周方向リブ３６を有している。リング体３０は、周方向リブ３６が、内側容器１２の下寄り部分１４の、リブ３６との接触地点での外径よりもわずかに小さい内径を有するように、いくらかの弾性を有する軟質プラスチックでできている。この構造の結果として、内側容器１２が外側容器１１に挿入されると、周方向リブ３６はわずかに変形し、いくらか摩擦力と弾性により内側容器１２を把持して同容器をしっかりと定位置に保持する。
【００１７】
リング体３０は、洗浄などの際に、外側容器１１から取り外すことができるように、わずかに伸びることのできる弾性材で造られている。リング体３０の掛部３４には、内側容器１２の肩部１９が載り、内側容器１２を図示する位置、すなわち、内側容器１２の底壁４０は、内側シェル２４の底壁４２との間に、ギャップＧを存して、支持している。図１に示すように、内側容器１２の下寄り部分１４の外径が内側シェル２４の内径よりもわずかに小さい場合、下寄り部分１４と内側シェル２４との間に空間が生じ、内側容器１２を外側容器１１に対して出し入れするときに、内側容器１２を傷つける危険性が回避できる。なお、底壁４０，４２間のギャップＧは、必要に応じて適宜設ければよい。
【００１８】
図２は、本発明の変形態様を例示する。類似部品や要素が使用されている場合は、同じ参照番号を使用する。この実施態様では、いくらか異なる構造が使用されていて、内側容器１２は、その下寄り部分１４の下部で比較的細く、下寄り部分１４の上部でいくぶん太くなっている。外側容器１１の両シェル２２，２４もそれに応じた形状に造られている。また、図２の実施態様の場合、内側容器１２の底壁４０が内側シェル２４の底壁４２に載っている。同じく、内側容器１２の肩部１９がリング体３０の掛部３４に載っている。
【００１９】
この実施態様では、リング体３０は、内側シェル２４の内面上部を包囲する下方に延長した挿入片３８を一体に設けることによって、図１に示される周方向リブ３６を省略している。
【００２０】
図３は、本発明のさらに別の実施態様を示し、ここでもまた、同じ参照番号を使用して、図１に関連して前記した同じ部品や要素を示す。この実施態様では、内側容器１２は、その長手に沿って均一に円筒形であり、すべての実施態様と同様に、その上寄り部分１６は外側容器１１の上端から突出している。この実施態様では、内側容器１２は、内側シェル２４の内面に比較的密接して収まり、内側シェル２４の底壁４２に当接するサイズである。
【００２１】
図４は、本発明のさらに別の実施態様を例示する。図４に示す実施態様は、内側容器１２が底部に向かっていくらか先細り、すなわち、わずかに逆円錐台形であり、底壁４０がリップ１７よりもわずかに小径である点でのみ図３の実施態様とは異なるが、内側容器１２は外側容器１１の内側シェル２４の底壁４２に支持されている。
【００２２】
この断熱飲料容器を使用する際には、内側容器１２を、外側容器１１に挿入したのち、飲料を満たすことができる。あるいは、内側容器１２に飲料を満たしたのち、外側容器１１に挿入することもできる。内側容器１２が外側容器１１内に挿入される際に、図４に示す如く、リング体３０の環状の挿入片３８が両容器１１，１２間に挟時されることによって、内側容器１２は外側容器１１に良好に保持される。このような保持が使用目的にとって重要でない場合は、図２の実施態様におけるように、挿入片３８を省略してもよい。
【００２３】
断熱飲料容器は、内側容器１２を外側容器１１から取り出して洗浄することにより、簡単に手入れすることができる。外側容器１１が汚れていないならば、それにはなにもする必要はない。他方、外側容器も汚れているならば、リング体３０を嵌めたまま又は外した状態で、別個に洗浄することができる。リング体３０を別個にして洗浄することを望むならば、リング体３０の弾性特性が、リング体３０を取り外すことに役立つ。
【００２４】
すべての場合において、飲み口となる内側容器のリップは、このような断熱飲料容器の使用者にとって非常に望ましい特性である、馴染みやすい口当たり及び／又は味感を有する材料で形成される。
【００２５】
【発明の効果】
本発明によれば、断熱特性に優れ、飲み心地の良い断熱飲料容器を得ることができる。
【図面の簡単な説明】
【図１】本発明にしたがって製造された断熱飲料容器の一実施態様の縦断面図である。
【図２】本発明の断熱飲料容器の変形態様の縦断面図である。
【図３】本発明の断熱飲料容器のさらに別の実施態様の縦断面図である。
【図４】本発明の断熱飲料容器のさらにまた別の実施態様の縦断面図である。
【符号の説明】
１０…軸線、１１…外側容器、１２…内側容器、１４…下寄り部分、１６…上寄り部分、１７…リップ、１９…肩部、２２…外側シェル、２４…内側シェル、３０…リング体、３２…スリーブ部、３４…掛部、３６…周方向リブ、３８…挿入片、４０…内側容器１２の底壁、４２…内側シェル２４の底壁
【図１】
0003582012.tif 000002
【図２】
0003582012.tif 000003
【図３】
0003582012.tif 000004
【図４】
0003582012.tif 000005